(57)【要約】      （修正有）【課題】表示させたい表示装置にのみデータを表示させることができる表示装置、表示システム及びプログラムを提供する。【解決手段】表示装置１２は、データを表示する表示部３２と、前記表示部に表示するデータを受け付ける受付手段２６と、前記受付手段に電源を供給する電源供給手段３４と、前記電源供給手段３４から前記受付手段２６への電源供給の指示に基づいて前記表示部３２におけるデータ表示の可否を制御する制御手段２４と、を有する。【選択図】図２
2018163239.tif 000002
【特許請求の範囲】
【請求項１】
データを表示する表示部と、
前記表示部に表示するデータを受け付ける受付手段と、
前記受付手段に電源を供給する電源供給手段と、
前記電源供給手段から前記受付手段への電源供給の指示に基づいて前記表示部におけるデータ表示の可否を制御する制御手段と、
を有する表示装置。
【請求項２】
前記制御手段は、前記電源供給手段から前記受付手段に電源が供給された場合に前記表示部におけるデータ表示が可能となるように制御する請求項１記載の表示装置。
【請求項３】
前記制御手段は、前記電源供給手段から前記受付手段に電源が供給されない場合に前記表示部におけるデータ表示が不可となるように制御する請求項１又は２記載の表示装置。
【請求項４】
前記受付手段は、ＩＥＥＥ８０２．１１ａｄで規格されたＷｉＧｉｇを通じてデータを受け付ける請求項１から３いずれか記載の表示装置。
【請求項５】
前記受付手段により受け付けたデータを記憶する記憶手段をさらに有し、前記制御手段は、前記受付手段の通信が切断された場合、前記記憶手段により記憶されているデータを前記表示部に表示するように制御する請求項１から４いずれか記載の表示装置。
【請求項６】
前記制御手段は、前記受付手段の通信切断時間が予め定められた値以下であるとき、前記記憶手段により記憶されているデータを前記表示部に表示するように制御する請求項５記載の表示装置。
【請求項７】
前記制御手段は、前記受付手段の通信切断時間が予め定められた値よりも大きいとき、前記記憶手段により記憶されているデータを前記表示部に表示するのを禁止するように制御する請求項５記載の表示装置。
【請求項８】
前記受付手段により受け付けられたデータと共に該データに関する番号を記憶する記憶手段をさらに有し、前記受付手段の通信が再開された場合、入力された番号と前記記憶手段に記憶された番号とが一致したとき、前記制御手段は、前記表示部にデータを表示するように制御する請求項１から４いずれか記載の表示装置。
【請求項９】
前記受付手段により受け付けられたデータと共に該データに関する番号を記憶する記憶手段をさらに有し、前記受付手段の通信が再開された場合、入力された番号と前記記憶手段に記憶された番号とが一致しないとき、前記制御手段は、前記表示部にデータを表示しないように制御する請求項１から４いずれか記載の表示装置。
【請求項１０】
データを表示する表示部と、
前記表示部に電源を供給する第一の電源供給手段と、
前記表示部に表示するデータを受け付ける受付手段と、
前記受付手段に電源を供給する第二の電源供給手段と、
前記第一の電源供給手段から前記表示部への電源供給及び前記第二の電源供給手段から前記受付手段への電源供給の指示に基づいて前記表示部におけるデータ表示の可否を制御する制御手段と、
を有する表示装置。
【請求項１１】
前記制御手段は、前記第一の電源供給手段により前記表示部に電源が供給され、且つ前記第二の電源供給手段により前記第二の電源供給手段により前記受付手段に電源が供給された場合、前記表示部におけるデータ表示が可能となるように制御する請求項１０記載の表示装置。
【請求項１２】
前記制御手段は、前記第一の電源供給手段により前記表示部に電源が供給されない場合、又は前記第二の電源供給手段により前記第二の電源供給手段により前記受付手段に電源が供給されない場合、前記表示部におけるデータ表示が不可となるように制御する請求項１０記載の表示装置。
【請求項１３】
データを表示する表示部と、前記表示部に表示するデータを受け付ける受付手段と、前記受付手段に電源を供給する電源供給手段と、前記電源供給手段から前記受付手段への電源供給に基づいて前記表示部におけるデータ表示の可否を制御する制御手段と、を有する表示装置と、
前記表示装置の受付手段へデータを送信する送信手段と、前記制御手段に前記電源供給手段から前記受付手段への電源供給を指示する指示手段と、を有する端末装置と、
を有する表示システム。
【請求項１４】
受付手段を介してデータを受け付けるステップと、
前記受付手段への電源供給の指示に基づいて表示部にデータ表示の可否を制御するステップと、
をコンピュータに実行させるプログラム。
【発明の詳細な説明】
【技術分野】
【０００１】
本発明は、表示装置、表示システム及びプログラムに関する。
【背景技術】
【０００２】
特許文献１は、複数のディスプレイにコンテンツを表示可能な表示制御装置であって、携帯電話又はＰＨＳから入力された画面番号及びコンテンツ指示情報を受信する受信手段と、前記受信した画面番号に対応するディスプレイに前記受信したコンテンツ指示情報に応じたコンテンツを表示させるために前記ディスプレイに前記コンテンツを送信する送信手段とを有する表示制御装置を開示する。
【０００３】
特許文献２は、セルラネットワークに接続し、周辺の基地局からの受信信号の電界強度を取得する高域通信無線器と、前記セルラネットワークよりも通信範囲が狭い無線ローカルエリアネットワークに接続する近距離通信無線器と、前記周辺の基地局からの受信信号の電界強度を用いて自装置の位置を検出する位置検出手段と、前記セルラネットワークの１つ以上の基地局のセルＩＤおよび前記１つ以上の基地局に対応する電界強度を含むテーブルを記憶する記憶手段と、前記自装置の位置に基づき前記テーブルを照合し、前記無線ローカルネットワークへの接続ポイントを検出した場合には、前記近距離無線通信器の電源を入れるように制御を行う制御手段とを有する端末装置を開示する。
【０００４】
特許文献３は、データを記憶する少なくとも一つの記憶手段と、該記憶手段に記憶されたデータを無線により通信する無線通信手段と、前記記憶手段に記憶されているデータの有無を判別する判別手段と、前記判別手段により前記記憶手段に記憶されているデータがないと判別された場合には、前記無線通信手段に電源を供給しないように制御する制御手段とを備えることを特徴とする無線通信装置を開示する。
【先行技術文献】
【特許文献】
【０００５】
【特許文献１】特開２００２−１２５２６４号公報
【特許文献２】特開２００９−０４４６５９号公報
【特許文献３】特開２００４−００７２７５号公報
【発明の概要】
【発明が解決しようとする課題】
【０００６】
ところで、医療現場等ではタブレット等の端末装置で診断データを扱う機会が増えている。診断データは表示装置に表示することもできるが、どこでも表示して良いものではなく、取り扱いには注意が必要である。
【０００７】
本発明は、表示させたい表示装置にのみデータを表示させることができる表示装置、表示システム及びプログラムを提供することを目的としている。
【課題を解決するための手段】
【０００８】
請求項１に係る本発明は、データを表示する表示部と、前記表示部に表示するデータを受け付ける受付手段と、前記受付手段に電源を供給する電源供給手段と、前記電源供給手段から前記受付手段への電源供給の指示に基づいて前記表示部におけるデータ表示の可否を制御する制御手段と、を有する表示装置である。
【０００９】
請求項２に係る本発明は、前記制御手段は、前記電源供給手段から前記受付手段に電源が供給された場合に前記表示部におけるデータ表示が可能となるように制御する請求項１記載の表示装置である。
【００１０】
請求項３に係る本発明は、前記制御手段は、前記電源供給手段から前記受付手段に電源が供給されない場合に前記表示部におけるデータ表示が不可となるように制御する請求項１又は２記載の表示装置である。
【００１１】
請求項４に係る本発明は、前記受付手段は、ＩＥＥＥ８０２．１１ａｄで規格されたＷｉＧｉｇを通じてデータを受け付ける請求項１から３いずれか記載の表示装置である。
【００１２】
請求項５に係る本発明は、前記受付手段により受け付けたデータを記憶する記憶手段をさらに有し、前記制御手段は、前記受付手段の通信が切断された場合、前記記憶手段により記憶されているデータを前記表示部に表示するように制御する請求項１から４いずれか記載の表示装置である。
【００１３】
請求項６に係る本発明は、前記制御手段は、前記受付手段の通信切断時間が予め定められた値以下であるとき、前記記憶手段により記憶されているデータを前記表示部に表示するように制御する請求項５記載の表示装置である。
【００１４】
請求項７に係る本発明は、前記制御手段は、前記受付手段の通信切断時間が予め定められた値よりも大きいとき、前記記憶手段により記憶されているデータを前記表示部に表示するのを禁止するように制御する請求項５記載の表示装置である。
【００１５】
請求項８に係る本発明は、前記受付手段により受け付けられたデータと共に該データに関する番号を記憶する記憶手段をさらに有し、前記受付手段の通信が再開された場合、入力された番号と前記記憶手段に記憶された番号とが一致したとき、前記制御手段は、前記表示部にデータを表示するように制御する請求項１から４いずれか記載の表示装置である。
【００１６】
請求項９に係る本発明は、前記受付手段により受け付けられたデータと共に該データに関する番号を記憶する記憶手段をさらに有し、前記受付手段の通信が再開された場合、入力された番号と前記記憶手段に記憶された番号とが一致しないとき、前記制御手段は、前記表示部にデータを表示しないように制御する請求項１から４いずれか記載の表示装置である。
【００１７】
請求項１０に係る本発明は、データを表示する表示部と、前記表示部に電源を供給する第一の電源供給手段と、前記表示部に表示するデータを受け付ける受付手段と、前記受付手段に電源を供給する第二の電源供給手段と、前記第一の電源供給手段から前記表示部への電源供給及び前記第二の電源供給手段から前記受付手段への電源供給の指示に基づいて前記表示部におけるデータ表示の可否を制御する制御手段と、を有する表示装置である。
【００１８】
請求項１１に係る本発明は、前記制御手段は、前記第一の電源供給手段により前記表示部に電源が供給され、且つ前記第二の電源供給手段により前記第二の電源供給手段により前記受付手段に電源が供給された場合、前記表示部におけるデータ表示が可能となるように制御する請求項１０記載の表示装置である。
【００１９】
請求項１２に係る本発明は、前記制御手段は、前記第一の電源供給手段により前記表示部に電源が供給されない場合、又は前記第二の電源供給手段により前記第二の電源供給手段により前記受付手段に電源が供給されない場合、前記表示部におけるデータ表示が不可となるように制御する請求項１０記載の表示装置である。
【００２０】
請求項１３に係る本発明は、データを表示する表示部と、前記表示部に表示するデータを受け付ける受付手段と、前記受付手段に電源を供給する電源供給手段と、前記電源供給手段から前記受付手段への電源供給に基づいて前記表示部におけるデータ表示の可否を制御する制御手段と、を有する表示装置と、前記表示装置の受付手段へデータを送信する送信手段と、前記制御手段に前記電源供給手段から前記受付手段への電源供給を指示する指示手段と、を有する端末装置と、を有する表示システムである。
【００２１】
請求項１４に係る本発明は、受付手段を介してデータを受け付けるステップと、前記受付手段への電源供給の指示に基づいて表示部にデータ表示の可否を制御するステップと、をコンピュータに実行させるプログラムである。
【発明の効果】
【００２２】
請求項１、１０、１３又は１４のいずれかに係る本発明によれば、表示させたい表示装置にのみデータを表示させることができる。
【００２３】
請求項２に係る本発明によれば、請求項１に係る本発明の効果に加えて、受付手段のデータ受付を可能とすることができる。
【００２４】
請求項３に係る本発明によれば、請求項１又は２に係る本発明の効果に加えて、受付手段のデータ受付を不可とすることができる。
【００２５】
請求項４に係る本発明によれば、表示したい表示装置を間違えることを防止することができる。
【００２６】
請求項５に係る本発明によれば、請求項１から４いずれかに係る本発明の効果に加えて、受付手段の通信が切断された場合でもデータの表示を継続することができる。
【００２７】
請求項６に係る本発明によれば、請求項５に係る本発明の効果に加えて、受付手段の通信切断時間が予め定められた値よりも小さいときにデータの表示を継続することができる。
【００２８】
請求項７に係る本発明によれば、請求項５に係る本発明の効果に加えて、受付手段の通信切断時間が予め定められた値よりも大きいときににデータの表示の継続を禁止することができる。
【００２９】
請求項８に係る本発明によれば、請求項１から４いずれかに係る本発明の効果に加えて、番号を記憶しない場合と比較して、再開作業を容易にすることができる。
【００３０】
請求項９に係る本発明によれば、請求項１から４いずれかに係る本発明の効果に加えて、番号が一致しない場合に表示不可を実現することができる。
【００３１】
請求項１１に係る本発明によれば、請求項１０に係る本発明の効果に加えて、第一の電源供給手段及び前記第二の電源供給手段により電源が供給された場合にデータの表示を可能とすることができる。
【００３２】
請求項１２に係る本発明によれば、請求項１０に係る本発明の効果に加えて、第一の電源供給手段又は前記第二の電源供給手段により電源が供給されない場合にデータの表示を不可とすることができる。
【図面の簡単な説明】
【００３３】
【図１】本発明の実施形態に係る表示システムを示す構成図である。
【図２】本発明の実施形態に用いた表示装置の回路例を示すブロック図である。
【図３】本発明の実施形態に係る表示システムの処理の流れの一例を示すフローチャートである。
【図４】本発明の実施形態における表示装置のＣＰＵにより実行されるプログラムのフローチャートである。
【図５】本発明の実施形態において、ペアリングが切れた場合の処理を示すフローチャートである。
【図６】本発明の実施形態において、再度接続する場合の処理を示すフローチャートである。
【発明を実施するための形態】
【００３４】
次に、本発明の実施形態について図面を参照して説明する。
図１には、本発明の実施形態に係る表示システム１０が示されている。表示システム１０は、例えば病院等の医療現場に設けられている。表示システム１０は、表示装置であるテレビ（テレビジョン受像機）１２、リモコン（リモートコントローラ）１４、タブレット等の端末装置１６及びサーバ１８を有する。
【００３５】
表示装置１２は、例えば患者のベッドの近くに配置され、通常のテレビ番組の他に、診断データを表示するようになっている。リモコン１４は、例えば赤外線方式で、テレビ本体の電源のオンオフ、音声の大きさ調整、番組の指定等を行うボタン類を有し、該ボタン類を介して表示装置１２に対して指示する。また、端末装置１６は、タッチパネルを有し、患者に示す診断データが記憶されている。また、端末装置１６は、患者データを送る第一の送信部２０と、後述する表示装置１２の受信機への電源供給の指示を送る第二の送信部２２とを有する。
【００３６】
第一の送信部２０は、ＷｉＧｉｇ（Wiress Gigabit）方式で送信する。ＷｉＧｉｇとは、ＩＥＥＥ８０２．１１ａｄで規格化された短距離の高速デジタル無線通信であり、周波数６０ギガヘルツのミリ波の電波を利用し、通信速度は最大７Ｇｂｐｓと高速である。また、指向性が強いので、表示装置１２と通信する場合は、第一の送信部２０を表示装置に向ける必要がある。
【００３７】
第二の送信部２２は、例えば赤外線方式であり、この第二の送信部２２から電源供給信号が送信されると、後述する表示装置１２の第一の受信機（ＷｉＧｉｇ受信機）２６に電源を供給するようになる。
【００３８】
サーバ１８は、患者の診断データを記憶しており、必要とされる患者の診断データを端末装置１６へ送る。
【００３９】
図２は、表示装置１２の回路例を示す。
表示装置１２は、制御手段としてのＣＰＵ（中央演算処理装置）２４を有する。このＣＰＵ２４には第一の受信機２６（ＷｉＧｉｇ受信機）と第二の受信機（赤外線受信機）２８が接続されている。また、ＣＰＵ２４にはプログラム及びデータを記憶するメモリ３０が接続されている。さらにＣＰＵ２４には表示部３２が接続され、この表示部３２にＣＰＵ２４から送られるデータが表示される。
【００４０】
第一のスイッチ３４は、電源と第一の受信機２６との間に接続されている。この第一のスイッチ３４は、ＣＰＵ２４からの制御信号によりオンオフ制御される。第二のスイッチ３６は、電源と表示部３２との間に接続されている。この第二のスイッチ３６も第一のスイッチ３４と同様にＣＰＵ２４からの制御信号によりオンオフ制御される。
【００４１】
図３は、表示システムの処理の流れの一例を示すフローチャートである。
まずステップＳ１０において、患者がリモコン１４により表示装置１２の電源をつける。ここで、表示装置１２の表示部３２に電源が入っても、表示部３２とは独立している第一の受信機２６に電源が入らない限り、医師の端末装置１６から表示装置１２のＷｉＧｉｇのアクセスポイントは見えない。表示装置１２が複数あってそれぞれのアクセスポイントが表示されると混乱するので、表示したい表示装置１２のアクセスポイントだけを表示する。
【００４２】
次のステップＳ１２においては、医師が端末装置１６の第二の送信部２２から第一の受信機２６の電源を入れる。この手順の後に端末装置１６には表示装置１２のＷｉＧｉｇのアクセスポイントが見えるようになる。ＷｉＧｉｇは指向性が高いので、表示したい表示装置１２に向ければよい。
なお、ステップＳ１０においては、患者がリモコン１４により表示装置１２の電源を入れるようにしたが、ステップＳ１２で同時に、又はステップ１２の前後に端末装置１６により表示装置１２の電源を入れるようにしてもよい。
また、診断データ送信開始指示に乗せて固有の番号を送り、許可されている番号を受け付けた場合のみ第一の受信機の電源を供給するようにしてもよい。これにより、許可されたタブレット端末のみに反応するよう制限をかける。
また、表示装置１２の第２の受信機２８にシャッタを設け、このシャッタを開かない限り第一の受信機２６の電源を入れることができないようにしてもよい。
【００４３】
次のステップＳ１４においては、医師がＷｉＧｉｇ経由で端末装置１６と表示装置１２とを接続する。
【００４４】
次のステップＳ１６においては、医師が表示装置１２に患者の診断データを表示する。診断データには通し番号が付されている。
【００４５】
図４は、前述したＣＰＵ２４により実行されるプログラムのフローチャートである。
【００４６】
ＣＰＵ２４は、まずステップＳ２０において、リモコン１４から第二の受信機２８に表示部３２に表示させる指示があるか否かを監視する。リモコン１４から指示があったと判定された場合は、次のステップＳ２２に進む。
【００４７】
ステップＳ２２においては、第二のスイッチ３６へオン信号を送り、表示部３２に電源を供給する。
【００４８】
次のステップＳ２４においては、端末装置１６の第一の送信部２０から第一の受信機２８へオン指示があるか否かを監視する。
【００４９】
第一の受信機２８へオン指示があったと判定された場合は次のステップＳ２６へ進む。このステップＳ２６においては、第一のスイッチ３４へオン信号を送り、第一の受信機２６に電源を供給する。
【００５０】
次のステップＳ２８においては、ペアリング処理を行う。ペアリングが確立すると、次のステップＳ３０において、第一の受信機２６から診断データを受け付け、次のステップＳ３２において、診断データを表示部３２に表示する。
【００５１】
図５は、ペアリングが切れた場合の処理を示すフローチャートである。ＷｉＧｉｇは指向性が高いため、端末装置１６と表示装置１２を接続させ続けるためには、端末装置１６を常に表示装置１２に向ける必要がある。それでは、使いづらいため、一度ペアリングが完了した時点で診断データに紐づく通し番号を表示装置１２のメモリ３０に記憶しておき、予め定められた時間内であれば例え切断されたとしても表示装置１２には送信された診断データを表示しておく。
即ち、まずステップＳ３４において、ペアリングが切れたか否かを判定する。ペアリングが切れていない場合はステップＳ３６に進み、診断データを受信する。次のステップＳ３８ではメモリ３０に診断データを通し番号と共に記憶する。次のステップＳ４０において、ステップＳ３６で受信した診断データを表示部３２に表示する。次のステップＳ４２においては、端末装置１６から終了信号を受けたか否かを判定する。ステップＳ４２において、端末装置１６から終了信号を受けていないと判定された場合はステップＳ３４に戻る。一方、ステップＳ４２において、端末装置１６から終了信号を受けた場合はステップＳ４４に進み、第一のスイッチ３４をオフし、処理を終了する。
【００５２】
ステップＳ３４において、ペアリングが切れたと判定された場合はステップＳ４６へ進む。このステップＳ４６においては、ステップＳ３８で記憶していた診断データを読み出す。次のステップＳ４８においては、ステップＳ４６で読み出した診断データを表示部３２に表示する。次のステップＳ５０においては、ペアリングが切れてから予め定められた時間が経過したか否かを判定する。ステップＳ４８において、ペアリングが切れてから予め定められた時間が経過していないと判定された場合は、ステップＳ３４に戻る。一方、ステップＳ５０において、ペアリングが切れてから予め定められた時間が経過したと判定された場合は、ステップＳ４４に進み、第一のスイッチ３４をオフし、処理を終了する。
【００５３】
図６は、再度接続する場合の処理を示すフローチャートである。
再度接続する場合は、表示したい診断データの番号を入力する。番号の入力は、端末装置１６に記憶されている番号を自動的に抽出して送信してもよいし、医師が端末装置１６で手入力してもよい。ステップＳ５２においては、メモリ３０に記憶されている通り番号と入力された番号とが一致しているか否かを判定する。番号が一致したと判定された場合はステップＳ５４に進み、診断データの受付を許可する。一方、ステップＳ５２において、番号が一致していないと判定された場合はステップＳ５６に進み、第一のスイッチ３４をオフし、第一の受信機２６への電源供給を停止し、ＷｉＧｉｇ通信を禁止する。番号が一致していない場合は、誤って他の端末装置から送信されているおそれがあるからである。
【００５４】
なお、上記実施形態においては、端末装置１６としてタブレットを例示しているが、本発明においてはこれに限定されず、ラップトップ等のパーソナルコンピュータ、スマートフォン、専用端末装置等が含まれる。
【符号の説明】
【００５５】
１０    表示システム
１２    表示装置
１４    リモコン
１６    端末装置
２４    ＣＰＵ
２６    第一の受信機
２８    第二の受信機
３０    メモリ
３２    表示部
３４    第一のスイッチ
３６    第二のスイッチ
【図１】
2018163239.tif 000003
【図２】
2018163239.tif 000004
【図３】
2018163239.tif 000005
【図４】
2018163239.tif 000006
【図５】
2018163239.tif 000007
【図６】
2018163239.tif 000008